(57)【特許請求の範囲】
【請求項１】
紙挿入部及び紙挿入部経路をシュレッダー筐体部内に形成し、前記紙挿入部及び紙挿入部経路が、少なくとも裁断に向かう紙類又はフィルム類の前記紙挿入部を紙挿入部周囲に広がる面に延在し、前記紙挿入部周囲に広がる面の方向を平面方向とすると、この平面方向に対して前記紙挿入部経路が立面方向に延伸し、前記紙挿入部経路、及び前記紙挿入部経路を形成する、相対して設けられた紙ガイド壁の前記立面方向の形状を示す断面形状を、前記紙挿入部経路の全て又は一部において、一方の紙ガイド壁を複数の曲線から成し、それぞれの曲線の膨らむ方向が相反して連なることによりおおむねＳ字状を成す曲線で形成し、他方の紙ガイド壁も同様におおむねＳ字状の曲線で形成し、双方の曲線間を裁断に向かう紙等の送達可能な幅に保ち、前記断面形状を前記紙挿入経路の前記延在方向に沿って連続形成することにより形成した曲面路とし、関節を曲げながら入り込もうとする指先、金属板、硬板、などの裁断不適物の挿入を、曲面の曲がり方向を相反して連ねる曲面路の複合する阻止作用により阻み、これ等が不用意に裁断に及ぶことを防止する一方、曲面路に沿い曲折し得て裁断に向かう紙類又はフィルム類等の送達は容易に成す構造とした、シュレッダー挿入経路。
【発明の詳細な説明】
【技術分野】
【０００１】  本発明は、シュレッダー紙挿入部の挿入経路を複数の曲面で形成し、各曲面の曲がる方向を相反して連続することにより、手指、衣服の一部、金属板類等、裁断してはならず、又は裁断機能を阻害する異物の挿入を防止する技術に関するものである。
【背景技術】
【０００２】現在、シュレッダーで紙を裁断する際、誤って衣服の一部が巻き込まれてしまったり、子供が指を差し込み、感知して作動したカッターに両手の指を切断されてしまったなどの痛ましい事故が起こっている。又、金属板、硬質プラスチックなどの異物が挿入されてしまうことによって、カッターの刃が損傷する事故も少なくない。特に指を切断してしまう事故が社会問題となっている。【０００３】  これ等は何れもシュレッダー紙挿入部の挿入経路が紙の挿入に適する事に向けてのみ設計されてきている為であり、紙類の挿入に適する直行状経路を構成しているシュレッダーが多く、事故防止にかかる人間工学上の配慮がなされていない現状による。
【発明の開示】
【発明が解決しようとする問題】
【０００４】本発明は上述の紙挿入部の挿入経路を指などの挿入を阻む形状に曲折させることによって、挿入時に挿入物が直行することを阻み、誤った挿入行為や不適当な挿入物の挿入送達を防止するものである。
【課題を解決するための手段】
【０００５】  上記課題を解決するために、本発明にかかるシュレッダー挿入経路は、少なくとも裁断に向かう紙類又はフィルム類の前記紙挿入部を紙挿入部周囲に広がる面に延在し、前記裁紙挿入部周囲に広がる面の方向を平面方向とすると、この平面方向に対して前記紙挿入部経路が立面方向に延伸し、前記紙挿入部経路、及び前記紙挿入部経路を形成する、相対して設けられた紙ガイド壁の前記立面方向の形状を示す断面形状を前記紙挿入部経路の全て又は一部において、一方の紙ガイド壁を、複数の曲線から成るそれぞれの曲線の膨らむ方向が相反して連なることにより、おおむねＳ字状を成す曲線で形成し、他方の紙ガイド壁も同様におおむねＳ字状の曲線で形成し、双方の曲線間を裁断に向かう紙等の送達可能な幅に保ち、前記断面形状を前記紙挿入経路の前記延在方向に沿って延在させると共に、挿入経路の紙ガイド壁によって形成する幅を、曲折による防止効果を損なわない程度に成して連続することにより形成された曲面路が、関節を曲げながら入り込もうとする指先等第１の裁断不適物、金属板、硬板等第２の裁断不適物の挿入を阻み、これ等が不用意に裁断に及ぶことを防止する。
【発明の効果】
【０００８】  従来のシュレッダー経路は図１に示すように裁断カッターにストレートに向かっているために、紙類等の裁断には能率的な構造になっているが指先などが誤って挿入される危険があり、一方誤挿入を防止するために挿入口を狭くすると紙類の挿入枚数が少なくなり裁断効率が落ちる欠点があった。
本発明のシュレッダー経路は、これらの欠点を簡単で低コスト化を実現する構造としながら、極めて効果的に危険を防止する構造として提供するものである。
特に前記第１の裁断不適物である指は、殆どの場合裁断物を挿入口に差し入れる役割を果たすにも拘らず、危険防止は差し入れる人の注意力にのみ頼っている現状がある。
これ等の問題を解決するために、本発明では指が関節によって一方向に曲がり反対方向に殆ど曲がらない特徴があり、一方紙類は例えばＳ字状など柔軟に曲がることから、図２に示すように前記概ねＳ字状の紙挿入経路に指が差し込まれてしまった場合、最初の曲面路迄指先が入っても、相反する次の曲面路が指の反対方向への曲げを強制する結果、この方向には関節が曲がらない指は挿入を阻止され、指が反対方向から差し込まれた場合、最初の曲面路に阻まれ関節が曲がらない方向に抑制されるため、同様に挿入が阻止される。
【発明を実施するための最良の形態】
【０００９】  当該シュレッダー挿入経路は、前記裁断不適物、特に指等が誤って挿入され傷つけられる事故を防止するためにおおむね前記Ｓ字形に形成し、更に指等を裁断カッターに送達不能と成す挿入経路幅寸法、又は挿入経路長寸法の構造とすることによって、裁断不能物の挿入を阻むことを可能にする。
又、当該シュレッダー挿入経路では図４に示すように、途中に自動紙送りローラーを配設し  裁断する紙類等を強制的に送る構造としても、前記紙ガイド壁は何れも相反する方向から成る曲面で前記裁断不適物の挿入を阻む機能は変わらず、そのため自動紙送りローラーを配設することにより、紙類等を図１に例示する直行形挿入経路と同様なレベルで送達する性能を実現することが出来る。
【実施例】
【００１０】  図２および図３は、本発明にかかるシュレッダー挿入経路の第１実施例の構成を示す図である。図中、紙挿入部経路２１は前記立面方向に延伸しており、指等が容易く入らないほどの経路幅を成し、更に曲がりくねって指等第１の裁断不適物の通過を阻む形状を成している。この形状は相対する紙ガイド壁２１ａ及び２１ｂにより形成し規制されている。紙ガイド壁２１ａ及び２１ｂはそれぞれ膨らむ方向が相反する複数の曲線が連なりおおむねＳ字状の曲面を成しており、相対する紙ガイド壁は一定の間隔を保つように曲面を形成しており、これ等の間隔と曲面の構成によって指２２は裁断カッター１３に届くことを阻まれ、反対方向から挿入しようとする他の指２３も曲面の別の箇所で同様に阻まれる。
又、図３に示すように、金属板、硬板等第２の裁断不適物２４、２５は直立方向から挿入しても、斜め方向から挿入しても紙ガイド壁２１ａ及び２１ｂにより阻まれ裁断カッター１３に送達しない。
更におおむねＳ字状に形成してあるために紙等の送達が成されにくい場合、図４に示すように、一方の紙ガイド壁２１ａに紙送り方向Ａに回転する自動紙送りローラー２１ｃを配設し、他方の紙ガイド壁２１ｂに紙送り方向Ｂに回転する他の自動紙送りローラー２１ｄを配設し、これ等を作動することにより、前記紙等の送達をスムーズに行える。なお、これ等の自動紙送りローラーは紙ガイド壁２１ａ又は２１ｂの内、何れか一方の紙ガイド壁のみに配設してもよい。又、これ等の自動紙送りローラーは設計条件に従い個数を多くすることにより目的の性能を達成させる。
図５は紙ガイド壁、自動紙送りローラー、裁断カッターを装着する図であり、２はこれ等を内包する筐体の一部を示している。【００１１】  図１は従来のシュレッダー挿入経路を示しており、第３の紙挿入部経路２０は裁断カッター１３に直行して向く第３の紙ガイド壁１１ａ及び他の第３の紙ガイド壁１１ｂにより直行状に形成されているために、前記挿入不適物の挿入を阻むことが出来ない。
【図面の簡単な説明】
【００１２】
【図１】従来のシュレッダー挿入経路の断面を示す図である。
【図２】本発明にかかるシュレッダー挿入経路の断面を示す図である。
【図３】本発明にかかるシュレッダー挿入経路の断面を示す図である。
【図４】本発明にかかるシュレッダー挿入経路に自動紙送りローラーを配設した断面図である。
【図５】本発明にかかるシュレッダー挿入経路の構成を示す図である。
【符号の説明】
【００１３】
１１ａ、１１ｂ      従来の紙ガイド壁
１３                裁断カッター
２                  筐体部
２０、２１          紙挿入部経路
２１ａ、２１ｂ      紙ガイド壁
２１ｃ、２１ｄ      自動紙送りローラー
２２、２３          指
２４、２５          第２の裁断不適物
Ａ、Ｂ              紙送り方向
【図１】
0004501140.tif 000002
【図２】
0004501140.tif 000003
【図３】
0004501140.tif 000004
【図４】
0004501140.tif 000005
【図５】
0004501140.tif 000006